(57)【特許請求の範囲】
【請求項１】
当該照明器具との嵌合を可能とした嵌合部材と蓋部材とを具備した直管形ＬＥＤランプを挟持するように配設され、少なくとも一端から給電可能とした直管形ＬＥＤランプ押さえ部材を具備した照明器具において、
前記直管形ＬＥＤランプ押さえ部材は、給電可能な一端若しくは他端内部に、前記嵌合部材を係止する係止部と、前記嵌合部材の着脱を抑制する形状を有した係止蓋と、を有し、
給電可能な一端側の前記係止蓋内部には前記係止蓋と一体又別体に給電可能なコネクタを配設したことを特徴とする照明器具。
【請求項２】
請求項１に記載の照明器具において、
前記係止蓋は少なくとも１つの嵌合部を有し、前記直管形ＬＥＤランプ押さえ部材と嵌合することを特徴とする照明器具。
【請求項３】
請求項１又は２に記載の照明器具において、
前記係止部はばね性を有する弾性体であることを特徴とする照明器具。
【請求項４】
複数のＬＥＤと前記ＬＥＤが実装された基板と、前記ＬＥＤから発する熱を放熱する放熱部材と前記ＬＥＤの光を拡散させるカバー部材と前記カバー部材を塞ぐように配設した蓋部材と、前記蓋部材から略垂直方向に伸びる当該照明器具との嵌合を可能とし且つ嵌合部材を具備した直管形ＬＥＤランプと、請求項１乃至３の何れか１項に記載の照明器具とを有することを特徴とする照明装置。
【請求項５】
複数のＬＥＤと前記ＬＥＤが実装された基板と、前記ＬＥＤから発する熱を放熱する放熱部材と前記ＬＥＤの光を拡散させるカバー部材と前記カバー部材を塞ぐように配設した蓋部材と、前記蓋部材から略垂直方向に伸びる当該照明器具との嵌合を可能とし且つ嵌合部材を具備した直管形ＬＥＤランプと、請求項１に記載の照明器具とを有する照明装置において、
前記直管形ＬＥＤランプは、前記コネクタと電気的接続を可能とした受けコネクタを有しており、
前記直管形ＬＥＤランプを前記照明器具に取り付けた際に、前記受けコネクタの開口は前記照明器具と反対方向を向いており、前記コネクタと電気的接続を可能としたことを特徴とする照明装置。
【発明の詳細な説明】
【技術分野】
【０００１】
本発明は、外郭カバー内に光源を有し、当該ランプ外部に設けられた電源回路からコネクタを介して給電する方式の直管形ＬＥＤランプ用の照明器具及び照明装置に関するものである。
【背景技術】
【０００２】
従来、直管形ＬＥＤランプの保持方法としては直管形ＬＥＤランプ端部に構成されたピンやＬ字の金具によって構成された嵌合部材をＬＥＤ照明器具のランプ保持部材（ソケット）の孔への挿入や回転係止によって行われるものがあった。
【０００３】
また、上述の直管形ＬＥＤランプ端部の構成や器具によっては、直管形ＬＥＤランプを固定した後に器具内部に構成される点灯装置（電源装置）からリード線を配線したコネクタを直管形ＬＥＤランプ外郭に接続して給電を行っているものがあった（特許文献１）。
【先行技術文献】
【特許文献】
【０００４】
【特許文献１】特開２０１０−２７２３７７号公報
【発明の概要】
【発明が解決しようとする課題】
【０００５】
しかしながら、従来の直管形ＬＥＤランプの保持方法は蛍光灯タイプとの共用や同様の形状及び構成をとっており、直管形蛍光ランプに比べ重量の重い直管形ＬＥＤランプにとって直管形ＬＥＤランプの保持力が十分に足りていない恐れがあった。
【０００６】
本発明の目的は、直管形ＬＥＤランプの保持力を向上させた照明器具及び照明装置の提供である。
【課題を解決するための手段】
【０００７】
本発明において、上記課題を解決するために、当該照明器具との嵌合を可能とした嵌合部材と蓋部材とを具備した直管形ＬＥＤランプを挟持するように配設され、少なくとも一端から給電可能とした直管形ＬＥＤランプ押さえ部材を具備した照明器具において、直管形ＬＥＤランプ押さえ部材は、給電可能な一端若しくは他端内部に、嵌合部材を係止する係止部と、嵌合部材の着脱を抑制する形状を有した係止蓋と、を有し、給電可能な一端側の係止蓋内部には係止蓋と一体又別体に給電可能なコネクタを配設したことを特徴とする。
【発明の効果】
【００１０】
当該照明器具との嵌合を可能とした嵌合部材を具備した直管形ＬＥＤランプを挟持するように配設され、少なくとも一端から給電可能とした直管形ＬＥＤランプ押さえ部材を具備した照明器具において、直管形ＬＥＤランプ押さえ部材は、給電可能な一端若しくは他端内部に、嵌合部材を係止する係止部と、嵌合部材の着脱を抑制する形状を有した係止蓋と、を有することにより、直管形ＬＥＤランプの保持力を向上させた照明器具を提供することができる。
【００１１】
または、当該照明器具との嵌合を可能とした嵌合部材を具備した直管形ＬＥＤランプを挟持するように配設され、少なくとも一端から給電可能とした直管形ＬＥＤランプ押さえ部材を具備した照明器具において、直管形ＬＥＤランプ押さえ部材は、給電可能な一端若しくは他端内部に、嵌合部材を係止する係止部と、係止蓋と、を有し、係止部は嵌合部材の着脱自在とする係止突起を設けたことにより、直管形ＬＥＤランプの保持力を向上させた照明器具を提供することができる。
【００１２】
または、上記課題を解決するために、電源回路と、直管形ＬＥＤランプを保持する直管形ＬＥＤランプ押さえ部材と、電源回路と接続しているケーブルと、を有する照明器具において、直管形ＬＥＤランプは、一端または両端に蓋部材および嵌合部材を有し、電源回路からケーブルを介してＬＥＤに給電し、ＬＥＤランプ押さえ部材は、嵌合部材を係止する係止部と、係止部と接続し嵌合部材から蓋部材までを覆うことができる係止蓋とを有することを特徴とすることにより、直管形ＬＥＤランプの保持力を向上させた照明器具を提供することができる。
【００１３】
また、前記照明器具と、複数のＬＥＤとＬＥＤが実装された基板と、ＬＥＤから発する熱を放熱する放熱部材とＬＥＤの光を拡散させるカバー部材とカバー部材を塞ぐように配設した蓋部材と、蓋部材から略垂直方向に伸びる当該照明器具との嵌合を可能とし且つ嵌合部材を具備した直管形ＬＥＤランプとを有することにより、直管形ＬＥＤランプの保持力を向上させた照明装置を提供することができる。
【００１４】
また、前記照明器具と、複数のＬＥＤとＬＥＤが実装された基板と、ＬＥＤから発する熱を放熱する放熱部材とＬＥＤの光を拡散させるカバー部材とカバー部材を塞ぐように配設した蓋部材と、蓋部材から略垂直方向に伸びる当該照明器具との嵌合を可能とし且つ嵌合部材を具備した直管形ＬＥＤランプと、を有する照明装置において、直管形ＬＥＤランプは、コネクタと電気的接続を可能とした受けコネクタを有しており、直管形ＬＥＤランプを照明器具に取り付けた際に、受けコネクタの開口は照明器具と反対方向を向いており、コネクタと電気的接続を可能としたことにより、直管形ＬＥＤランプの保持力と、直管形ＬＥＤランプを照明器具に取り付ける際の取り付け性（作業性）を向上させた照明装置を提供することができる。
【図面の簡単な説明】
【００１５】
【図１】本発明の一実施例に係るＬＥＤ照明装置の斜視図である。
【図２】図１の直管形ＬＥＤランプ１００が照明器具から外された状態の斜視図である。
【図３】本発明の一実施例に係るＬＥＤ照明装置の長手方向断面図である。
【図４】（ａ）直管形ＬＥＤランプ１００が取り付けられた状態の直管形ＬＥＤランプ押さえ部材（給電側）３００（ａ）の断面図である。（ｂ）図４（ａ）の別実施例の断面図である。
【図５】（ａ）直管形ＬＥＤランプ１００が取り付けられる前の状態における本実施例の照明装置の長手方向断面図である。（ｂ）図５（ａ）のＡ−Ａ断面図である。
【図６】（ａ）嵌合部材１０８がソケットベース３０３に取り付けられた状態における本実施例の照明装置の長手方向断面図である。（ｂ）図６（ａ）のＢ−Ｂ断面図である。
【図７】（ａ）直管形ＬＥＤランプ１００を取り付けた後の状態における本実施例の照明装置の長手方向断面図である。（ｂ）は図７（ａ）のＡ−Ａ断面図である。
【図８】（ａ）直管形ＬＥＤランプ１００が取り付けられた状態の係止部３０４と嵌合部材１０８の位置関係を示す図である。（ｂ）直管形ＬＥＤランプ１００を取り外す際の、係止部３０４と嵌合部材１０８の位置関係を示す図である。
【図９】第３の実施の形態を示す図である。
【図１０】器具ベース２００に取り付けられた直管形ＬＥＤランプ押さえ部材（給電側）３００（ａ）と直管形ＬＥＤランプ押さえ部材（給電側）３００（ａ）に取り付けられた、直管形ＬＥＤランプ１００の給電側中央断面図の拡大図である。
【図１１】（ａ）〜（ｃ）ソケットベース３０３に内設した係止部３０４を覆うようにソケットカバー３０１が着脱自在にソケットベース３０３に嵌合された断面図。
【図１２】ソケットベース３０３に内設する係止部３０４の形状を示す図である。
【図１３】直管形ＬＥＤランプ１００の短手方向断面図である。
【発明を実施するための形態】
【００１６】
本発明は、複数のＬＥＤと前記ＬＥＤが実装された基板と、前記ＬＥＤから発する熱を放熱する放熱部材と前記ＬＥＤの光を拡散させるカバー部材と前記カバー部材を塞ぐように配設した蓋部材と、前記蓋部材から略垂直方向に伸びる器具との嵌合を可能とする嵌合部材を具備した直管形ＬＥＤランプと、前記直管形ＬＥＤランプを挟持するように配設され、少なくとも一端から給電可能とした直管形ＬＥＤランプ押さえ部材を具備したＬＥＤ器具において、前記直管形ＬＥＤランプ押さえ部材は、給電可能な一端若しくは他端内部に、前記蓋部材から略垂直方向に伸びた嵌合部材を係止する係止部を有し、前記係止部は前記嵌合部材の着脱を抑制する形状を有した係止蓋を構成する。
【００１７】
本発明の第一の実施例について、図を引用して説明する。
【００１８】
図１は本発明の一実施例に係るＬＥＤ照明装置の斜視図である。
【００１９】
図１において、１００は直管形ＬＥＤランプであり、２００は器具ベースであり、３００（ａ）は直管形ＬＥＤランプ押さえ部材（給電側）であり、３００（ｂ）は直管形ＬＥＤランプ押さえ部材（固定側）であり、４００は器具カバーである。本実施例における照明装置は直管形ＬＥＤランプ１００と器具ベース２００と直管形ＬＥＤランプ押さえ部材（給電側）３００（ａ）と直管形ＬＥＤランプ押さえ部材（固定側）３００（ｂ）と器具カバー４００とからなる。照明器具は器具ベース２００と直管形ＬＥＤランプ押さえ部材（給電側）３００（ａ）と直管形ＬＥＤランプ押さえ部材（固定側）３００（ｂ）と器具カバー４００とからなる。ここで、直管形ＬＥＤランプ１００を照明器具に取り付けた際のＬＥＤ照明装置において直管形ＬＥＤランプ１００のある方向を上方向、器具ベースのある方向を下方向とし、直管形ＬＥＤランプ押さえ部材（給電側）３００（ａ）と直管形ＬＥＤランプ押さえ部材（固定側）３００（ｂ）を結ぶ線の方向を長手方向とし、上下方向に垂直かつ長手方向に垂直となる方向を短手方向とする。これ以降、照明器具から直管形ＬＥＤランプ１００が外されたときも同様の方向とする。
【００２０】
直管形ＬＥＤランプ１００は直管蛍光灯と同様に口金と円柱形状の管とを有している。
口金は管の両端に設けられている。器具ベース２００は一面が開口した略直方体形状をしている。器具ベース２００は建物の天井等に設置される。器具ベース２００の開口した一面は天井等に取り付けられる面の反対面である。器具カバー４００は器具ベース２００の開口した一面を覆うように設けられている。本実施例における器具カバー４００は、器具ベース２００に沿うように設けられているため板状だが、これに限るものではない。直管形ＬＥＤランプ押さえ部材（給電側）３００（ａ）と直管形ＬＥＤランプ押さえ部材３００（固定側）（ｂ）は器具ベース２００に固定される。直管形ＬＥＤランプ押さえ部材（給電側）３００（ａ）と直管形ＬＥＤランプ押さえ部材（固定側）３００（ｂ）（固定側）は器具カバー４００から凸となり、かつ直管形ＬＥＤランプ１００の長さ分離れて設けられる。
【００２１】
図２は図１の直管形ＬＥＤランプ１００が照明器具から外された状態の斜視図である。
器具ベース２００内部には点灯装置（電源装置）５００が取り付けられている。１０２は蓋部材（給電側）であり、直管形ＬＥＤランプ１００の一方の口金に設けられている。３０１はソケットカバーであり、直管形ＬＥＤランプ押さえ部材（給電側）３００（ａ）の器具ベース２００とは反対側の部分と蓋部材（給電側）１０２とを覆うような形状をしている。１０８は嵌合部材であり直管形ＬＥＤランプ１００の蓋部材から直管形ＬＥＤランプ１００の長さ方向に突出するように設けられている。蓋部材は直管形ＬＥＤランプの両端に設けられており、本実施例において嵌合部材１０８はそれぞれの蓋部材から２本出ている。
【００２２】
本実施例において、リード線５０１は、点灯装置５００から器具ベース２００内部と直管形ＬＥＤランプ押さえ部材（給電側）３００（ａ）の内部を通って、ソケットカバー３０１に内設したコネクタ（オス）３２１に配線されている。ソケットカバーと蓋部材（給電側）１０２が接続されたとき、蓋部材（給電側）１０２に内設したコネクタ（メス）１０３とコネクタ（オス）３２１とを介して点灯装置５００から直管形ＬＥＤランプ１００へ電力が供給される。
【００２３】
直管形ＬＥＤランプ１００を照明器具に取り付ける際には、以下の手順を取る。蓋部材（給電側）１０２がない側の嵌合部材１０８を直管形ＬＥＤランプ押さえ部材（固定側）３００（ｂ）に挿入取り付けする。続いて蓋部材（給電側）のある側の嵌合部材１０８を直管形ＬＥＤランプ押さえ部（給電側）３００（ａ）の開口側に挿入固定する。その後、ソケットカバー３０１をＬＥＤ押さえ部材（給電側）３００（ａ）と蓋部材（給電側）１０２とを同時に覆うことによって、直管形ＬＥＤランプ１００を照明器具に固定保持し、また直管形ＬＥＤランプ１００と照明器具の電気的接続を可能としている。
【００２４】
図３は本発明の一実施例に係るＬＥＤ照明装置の長手方向断面図である。図１３は直管形ＬＥＤランプ１００の短手方向断面図である。長手方向断面図とは、長手方向と上下方向に渡るように切断したときの断面図である。短手方向断面図とは短手方向と上下方向に渡るように切断したときの断面図である。図３と図１３により、直管形ＬＥＤランプ１００の内部構造等を示している。直管形ＬＥＤランプ１００は、器具ベース２００に固定された直管形ＬＥＤランプ押さえ部材（給電側）３００（ａ）と直管形ＬＥＤランプ押さえ部材（固定側）３００（ｂ）で両端側を挟持されている。直管形ＬＥＤランプ１００内部には、剛性及び放熱性に優れたキバン保持部材１０４が蓋部材（給電側）１０２及び蓋部材（固定側）１０９にねじ１０７及び接着又は嵌合若しくは相当するような固定手段（図示せず）で固定されている。キバン保持部材１０４には複数のＬＥＤ１０６を搭載したＬＥＤキバン１０５が嵌合又は接着，板ばね固定，ねじ固定若しくはそれに相当するような固定手段（図示せず）で固定されている。また、キバン保持部材１０４，ＬＥＤキバン１０５，ＬＥＤ１０６を覆うようにランプカバー１０１が端部に余裕度を持たせたすき間１１０をもって構成されている。ランプカバー１０１は、ＬＥＤ１０６からの光を透過・拡散させる性質を持ち、これによってＬＥＤ１０６の光からの透過性及び拡散性を調整する役割をする。また、ランプカバー１０１の材質は、拡散剤及びそれに相当するものを、添加，含浸，塗布したものを使用し、樹脂自体がそのような性質をもつものを使用しても同様の効果が得られるものが良い。また、すき間１１０には、外力により追従自在の部材、例えばシリコンゴム，スポンジ，粘性液体，ばね等の弾性体及び弾性構造（図示せず）を構成し、環境及び温度により膨張するランプカバー１０１の寸法変化に対応できる構成とする。単なる空間でも可能とする。
【００２５】
また、ＬＥＤキバン１０５の端部には電源供給のための電極（図示せず）が出ており電極から配線されたリード線５０１がコネクタ（メス）１０３を介して点灯装置（電源装置）５００へ接続され、電力が供給される。
【００２６】
図４（ａ），（ｂ）は本発明の一実施例に係る直管形ＬＥＤランプ押さえ部材の横断面図である。
【００２７】
図４（ａ）は、直管形ＬＥＤランプ１００が取り付けられた状態の直管形ＬＥＤランプ押さえ部材（給電側）３００（ａ）の断面図である。器具ベース２００に直管形ＬＥＤランプ押さえ部材（給電側）３００（ａ）の外郭となるソケットベース３０３が取り付けられており、ソケットベース３０３に内置するように、係止部３０４が一体若しくは別体にて配置されている。通常ソケットカバー３０１を外した状態で、直管形ＬＥＤランプ１００の嵌合部材１０８を直管形ＬＥＤランプ押さえ部材（給電側）３００（ａ）の開口側から係止ガイド３０７に誘導されながら押し込むことで、嵌合部材１０８を所定の位置に配設することができる。ソケットベース３０３には器具ベース２００と取り付けられるのと反対側に、ソケットベース３０３の内側に凹む凹み部（載置部）が設けられている。凹み部と係止部３０４とにより、嵌合部材１０８が直管形ＬＥＤランプ押さえ部材（給電側）３００（ａ）に係止される。係止部３０４は可撓性を持った材料により構成されるが、直管形ＬＥＤランプ１００が外れる方向（略重力方向）に力が掛かった状態では楔構造などにより撓まない構造となっている。更にはソケットカバー３０１には一体若しくは別体に突起を設け、このソケットカバー突起３０６をソケットベース３０３に内設された係止部３０４の近傍に挿入又は配置されることによって、係止部３０４の可撓性若しくは動作を抑制する作用をもつことで、係止部３０４から嵌合部材１０８が外れ直管形ＬＥＤランプ１００が落下することをより確実に防止することができる。これにより、多少の衝撃や振動，ゆれなどにより直管形ＬＥＤランプ１００が照明器具から外れる恐れを少なくすることができ、直管形ＬＥＤランプの保持力を向上させた照明器具及び照明装置を実現することができる。更に、直管形ＬＥＤランプ１００をソケットベース３０３に取り付けた後にソケットカバー３０１を取り付けコネクタ同士の接続を可能とするため、従来のコネクタ同士の接続を行ってから直管形ＬＥＤランプを照明器具に取り付けるものと比べて直管形ＬＥＤランプ１００の取り付け作業性を向上させることができる。
【００２８】
また、図４（ｂ）は図４（ａ）の別実施例の断面図である。図４（ｂ）に示すように、係止部３０４の形態は、嵌合部材１０８を直管形ＬＥＤランプ押さえ部材（給電側）３００（ａ）の開口側から係止ガイド３０７に誘導されながら押し込む際に、嵌合部材１０８を外側から抱え込む形状とすることでも同様の効果が得られる。同様に係止部３０４は可撓性を持った材料により構成され、直管形ＬＥＤランプ１００が外れる方向（略重力方向）に力が掛かった状態では楔構造などにより撓まない構造となっている。また、ソケットカバー３０１には一体若しくは別体に突起を設け、このソケットカバー突起３０６をソケットベース３０３に内設された係止部３０４の近傍に挿入又は配置されることによって、係止部３０４の可撓性若しくは動作を抑制する作用をもつ。これにより係止部３０４から嵌合部材１０８が外れ直管形ＬＥＤランプ１００が落下することをより同様に確実に防止することができる。
【００２９】
次に本発明における第２の実施の形態を図を用いて説明する。
【００３０】
図５から図７は直管形ＬＥＤランプ１００を直管形ＬＥＤランプ押さえ部材（給電側）３００（ａ）と直管形ＬＥＤランプ押さえ部材（固定側）（ｂ）に取り付ける動作を示したものである。まず、図５（ａ）は直管形ＬＥＤランプ１００が照明器具に取り付けられる前の照明装置の長手方向断面図である。また、図５（ｂ）は図５（ａ）のＡ−Ａ断面図である。嵌合部材１０８を直管形ＬＥＤランプ押さえ部材（給電側）３００（ａ）の開口側から係止ガイド３０７に誘導されながら下方向に押し込むことで、嵌合部材１０８を簡単に係止部３０４に配設することができる。係止部３０４は可撓性を持った材料により構成され、直管形ＬＥＤランプ１００が外れる方向（略重力方向・上方向）に力が掛かった状態では楔構造などにより撓まない構造となっている。図５（ａ），（ｂ）の状態から上記動作を行うことで図６（ａ），（ｂ）に示す状態となる。図６（ａ）は嵌合部材１０８がソケットベース３０３に取り付けられた状態の照明装置の長手方向断面図である。図６（ｂ）は図６（ａ）のＢ−Ｂ断面図である。ソケットカバー３０１には一体若しくは別体設けられたソケットカバー突起３０６をソケットベース３０３に内設された係止部３０４の近傍に挿入又は配置されることによって、係止部３０４の可撓性若しくは動作を抑制する作用をもつことで、係止部３０４から嵌合部材１０８が外れ、直管形ＬＥＤランプ１００が落下することをより確実に防止することができる。図６（ａ），（ｂ）の状態から上記動作を行うことで図７（ａ），（ｂ）に示す状態となる。図７（ａ）は直管形ＬＥＤランプ１００を照明器具に取り付けた場合の照明装置の長手方向断面図である。また、図７（ｂ）は図７（ａ）のＡ−Ａ断面図である。図７の状態となることで多少の衝撃や振動，ゆれなど直管形ＬＥＤランプ１００が外れる要因とから保護することができ、直管形ＬＥＤランプ１００の取り付け作業性を改善しつつ、直管形ＬＥＤランプ１００の保持力を向上させることができる。また、この状態においては、点灯装置（電源装置）５００から直管形ＬＥＤランプ１００への給電が可能な状態であり、点灯装置（電源装置）５００からの給電により直管形ＬＥＤランプ１００を点灯させることができる。
【００３１】
図８（ａ），（ｂ）は直管形ＬＥＤランプ１００を取り外す際の、係止部３０４と嵌合部材１０８の位置関係及び動作を示したものである。ソケットカバー３０１を照明器具から取り外したのちに係止部３０４の先端付近の係止突起３０５へ図８（ａ）に示すＰ１及びＰ２方向に両側から作業者が指でつまむなど荷重をかけて、図８（ｂ）のように係止部３０４が荷重方向へ撓む若しくは移動させることによって、直管形ＬＥＤランプ１００の端面に配設された蓋部材（給電側）１０２に構成された嵌合部材１０８が開放され、ソケットベース３０３の開口側に直管形ＬＥＤランプ１００を簡単に取り外すことができる。
言い換えると、ａ寸法を嵌合部材１０８間の最短距離（接線最短距離）、ｂ寸法を係止部３０４の最大寸法とした時に、ａ＜ｂ（荷重Ｐ１，Ｐ２をかける前の状態）となっている寸法が、ａ≧ｂ（荷重Ｐ１，Ｐ２をかけた後の状態）となることによって、直管形ＬＥＤランプ１００の端面に配設された蓋部材（給電側）１０２に構成された嵌合部材１０８が開放され、ソケットベース３０３の開口側に直管形ＬＥＤランプ１００を簡単に取り外すことができる。
【００３２】
このとき、ソケットベース３０３の開口側が略重力方向である場合には、係止突起３０５の両側からＰ１，Ｐ２のように荷重をかけることのみによって、直管形ＬＥＤランプ１００を自重により簡単に照明器具から取り外すことが可能となる。
【００３３】
これらにより、直管形ＬＥＤランプ１００の取り付けも取り外しも簡単なＬＥＤ器具を提供することができる。
【００３４】
次に本発明における第３の実施の形態を図９（ａ），（ｂ）を用いて説明する。
【００３５】
図９は器具ベース２００に取り付けられた直管形ＬＥＤランプ押さえ部材（給電側）３００（ａ）と直管形ＬＥＤランプ押さえ部材（給電側）３００（ａ）に取り付けられた、直管形ＬＥＤランプ１００の長手方向断面図の拡大図である。ランプカバー１０１の給電側端部に配置された、蓋部材（給電側）１０２が複数のＬＥＤを配設したＬＥＤキバンを搭載したＬＥＤキバン保持部材１０４の端面で、嵌合又はねじ若しくは接着により固定されている。蓋部材（給電側）１０２内部にはコネクタ（メス）１０３を外周開口に垂直方向に、リブ固定（図示せず）若しくは、ねじ，圧入，接着及び溶着などそれに相当する固定方法で固定されており、外周側に向かってコネクタ（メス）嵌合部１４１側を位置させ、反対にランプカバー１０１内側に向かっては、コネクタ（メス）端子部１４０を構成させている。これにより、蓋部材（給電側）１０２に設けられたキバン側開口部１３０を介して、コネクタ（メス）端子部１４０に接続されたリード線１４２によって、ＬＥＤキバン１０５とコネクタ（メス）１０３の電気的接続が可能となる。また、ソケットカバー３０１内に一体若しくは別体に配置されたコネクタ（オス）３２１はコネクタオサエ３０２により挟持され、コネクタ（オス）端子部３２０から出されたリード線５０１はソケットベース３０３内部を通って、器具ベース２００内の点灯装置（電源装置）５００に接続される。コネクタ（メス）１０３若しくはコネクタ（オス）３２１を蓋部材（給電側）１０２内部に配置することにより、美観を損ねることなく、また電力を給電するリード線を器具内部を配線することにより作業性も向上させることができる。
【００３６】
また、場合によっては図９（ｂ）のように、ソケットカバー３０１に一体若しくは別体にコネクタ（オス）３８０及びコネクタ（オス）３８１に内設し、直管形ＬＥＤランプ押さえ部材（給電側）３００（ａ）内部に点灯装置（電源装置）５００にリード線５０１によって給電可能な状態で接続されたコネクタ（メス）３８２及び蓋部材（給電側）１０２内部にＬＥＤキバン１０５に電気的接続がなされたコネクタ（メス）１０３に挿入することにより、ソケットカバー３０１を外した際に器具ベース２００からリード線が垂れ下がることなく、且つソケットカバー突起３０６により嵌合を保持することができ作業性を向上させることができる。
【００３７】
次に本発明における第４の実施の形態を図１０を用いて説明する。
【００３８】
図１０は、器具ベース２００に取り付けられた直管形ＬＥＤランプ押さえ部材（給電側）３００（ａ）と直管形ＬＥＤランプ押さえ部材（給電側）３００（ａ）に取り付けられた、直管形ＬＥＤランプ１００の給電側中央断面図の拡大図であり、ランプカバー１０１の給電側端部に配置された、蓋部材（給電側）１０２が複数のＬＥＤを配設したＬＥＤキバンを搭載したキバン保持部材１０４の端面で、嵌合又はねじ若しくは接着により固定されており、蓋部材（給電側）１０２内部にはコネクタ（メス）１０３を外周開口に垂直方向に、リブ固定（図示せず）若しくは、ねじ，圧入，接着及び溶着などそれに相当する固定方法で固定されており、外周側に向かってコネクタ（メス）嵌合部１４１側を位置させ、反対にランプカバー１０１内側に向かっては、コネクタ（メス）端子部１４０を構成させており、蓋部材（給電側）１０２に設けられたキバン側開口部１３０を介して、コネクタ（メス）端子部１４０に接続されたリード線１４２によって、ＬＥＤキバン１０５とコネクタ（メス）１０３の電気的接続が可能となる。コネクタ（メス）１０３の外周側開口は器具ベース２００へ直管形ＬＥＤランプ押さえ部材（給電側）３００（ａ）と直管形ＬＥＤランプ押さえ部材（固定側）（ｂ）を介して直管形ＬＥＤランプ１００は蓋部材（給電側）１０２から略垂直方向に伸びた嵌合部材１０８を挿入固定することによって、重力方向Ｇ１に対して固定するが蓋部材（給電側）１０２の内部に配置するコネクタ（メス）１０３を直管形ＬＥＤランプ１００の器具ベース２００に接続固定した際に、開口側が略重力方向にあることによって、コネクタ（メス）嵌合部１４１側が略重力方向を示し、給電を行う際にコネクタオサエ３０２により挟持され、ソケットカバー３０１内に一体若しくは別体に配置されたコネクタ（オス）３２１は略重力側からコネクタ（メス）嵌合部１４１側に接続され、コネクタ（オス）端子部３２０から出されたリード線５０１は略反重力方向に向かって配線され、ソケットベース３０３内部を通って、器具ベース２００内の点灯装置（電源装置）５００に接続される。このため、生産上の不具合，取り付け作業上，経年劣化等何らかの不具合により直管形ＬＥＤランプ押さえ部材（給電側）３００（ａ）と直管形ＬＥＤランプ押さえ部材（固定側）３００（ｂ）から嵌合部材１０８が外れたとしても、器具ベース２００内に配線されたリード線５０１によって、直管形ＬＥＤランプ１００の完全落下を防止することできる。これにより直管形ＬＥＤランプ１００の落下を事前に防ぐことができると共に、作業不良等不具合に対して安全に気づくことができる（リード線が撓んだ状態で直管形ＬＥＤランプが固定されている状態を目視にて確認でき、対処することができる）。
【００３９】
次に本発明における第５の実施の形態を図１１を用いて説明する。
【００４０】
図１１（ａ）から（ｃ）は、ソケットベース３０３に内設した係止部３０４を覆うようにソケットカバー３０１が着脱自在にソケットベース３０３に嵌合された断面図である。
ソケットベース３０３の端部に少なくとも１つの嵌合突起３５０を持ちそれと嵌合するようにソケットカバー３０１の端部には蓋嵌合突起３５１が構成され、嵌合突起３５０と蓋嵌合突起３５１が嵌合することによって、ソケットカバー３０１を保持し、係止部３０４の間に挿入及び配置された、ソケットカバー突起３０６が位置することにより、係止部３０４が撓まず、嵌合部材１０８が外れることがなくなり、直管形ＬＥＤランプ１００の落下を防止することができる。係止部３０４撓む方向の荷重とは、別の方向に働く力のため直管形ＬＥＤランプ１００が外れる方向に力が掛かったとしても、（係止部３０４が撓む方向にかかる力に対して）ソケットカバー３０１が外れることはないため、直管形ＬＥＤランプ１００の落下を防止することができる。また、直管形ＬＥＤランプ１００を外す際には、直接ソケットカバー３０１の嵌合部に力をかけることにより、軽い力で外すことができいったんソケットカバー突起３０６を内置したソケットカバー３０１を外してしまえば、簡単な操作と軽い力で直管形ＬＥＤランプ１００を外すことが可能となる。
【００４１】
次に本発明における第６の実施の形態を図１２を用いて説明する。
【００４２】
図１２はソケットベース３０３に内設する係止部３０４の形状を示したもので、図１２（ａ）から（ｃ）には、係止部３０４のとり得る形状の一例を示したものであり、この限りではない。また、材質においても樹脂，金属，ゴム等のバネを持つ弾性体であるならば十分に係止部３０４の役目を果たすことができ、一体での構成でも良いし、弾性体との組合せによっての構成でもよい。これにより、直管形ＬＥＤランプ１００の着脱の作業性を大幅に向上させることができ、また直管形ＬＥＤランプ１００の保持性を向上させることができる。
【符号の説明】
【００４３】
１００  直管形ＬＥＤランプ
１０１  ランプカバー
１０２  蓋部材（給電側）
１０３，３８２  コネクタ（メス）
１０４  キバン保持部材
１０５  ＬＥＤキバン
１０６  ＬＥＤ
１０７  ねじ
１０８  嵌合部材
１０９  蓋部材（固定側）
１１０  すき間
１３０  キバン側開口部
１４０  コネクタ（メス）端子部
１４１  コネクタ（メス）嵌合部
１４２，５０１  リード線
２００  器具ベース
３００（ａ）  直管形ＬＥＤランプ押さえ部材（給電側）
３００（ｂ）  直管形ＬＥＤランプ押さえ部材（固定側）
３０１  ソケットカバー
３０２  コネクタオサエ
３０３  ソケットベース
３０４  係止部
３０５  係止突起
３０６  ソケットカバー突起
３０７  係止ガイド
３２０  コネクタ（オス）端子部
３２１，３８０，３８１  コネクタ（オス）
３５０  嵌合突起
３５１  蓋嵌合突起
４００  器具カバー
５００  点灯装置（電源装置）
Ｇ１  重力方向
Ｐ１，Ｐ２  荷重
【図１】
0005517972.tif 000002
【図２】
0005517972.tif 000003
【図３】
0005517972.tif 000004
【図４】
0005517972.tif 000005
【図５】
0005517972.tif 000006
【図６】
0005517972.tif 000007
【図７】
0005517972.tif 000008
【図８】
0005517972.tif 000009
【図９】
0005517972.tif 000010
【図１０】
0005517972.tif 000011
【図１１】
0005517972.tif 000012
【図１２】
0005517972.tif 000013
【図１３】
0005517972.tif 000014